【事件の表示】
　特願２０００−１５２９６０「薬剤検索システム」拒絶査定不服審判事件〔平成１３年１１月３０日出願公開、特開２００１−３３１５８３〕について、次のとおり審決する。
【結　論】
　本件審判の請求は、成り立たない。
【理　由】
第１　手続の経緯 
　
　本願は、平成１２年５月２４日の出願であって、平成１８年７月２６日付で拒絶査定がなされ（発送日同年８月１日）、これに対し、同年８月３１日に拒絶査定不服審判の請求がなされたものである。 
 　 
 　 
　
　
 第２　本願発明について  
 　
　 
１．本願発明の認定
　
　本願の請求項１乃至５に係る発明は、平成１８年５月８日付けの手続補正によって補正された明細書及び図面の記載からみて、特許請求の範囲の範囲第１乃至５項に記載されたとおりのものと認められるところ、その請求項１に係る発明（以下、「本願発明」という。）は、次のとおりのものである。
 　 
 「　【請求項１】　各薬剤に関する剤形、色、識別コード等の検索項目毎の検索情報と、各薬剤の名称と外形のカラー写真と詳細な薬剤情報を記憶する記憶装置、モニタ，入力装置および前記各装置を制御する制御装置を備え、前記制御装置により前記記憶装置に記憶させた薬剤情報の複数の検索項目をモニタに表示させるとともに、前記入力装置で被検索薬剤に関して前記モニタに表示された複数の前記薬剤情報に関する検索項目のうちで該当する検索項目を順次選んで該当する内容を選択しその被検索薬剤に該当する薬剤情報の内容を入力し、この入力情報を前記制御装置により前記記憶装置に記憶させてある薬剤情報と順次、照合させる絞り込み検索を行い、前記被検索薬剤と一致する場合にその薬剤に関する薬剤の名称と外形のカラー写真と詳細な薬剤情報を作成して前記モニタに表示することを特徴とする薬剤検索システム。」  
　
　ただし、特許請求の範囲第１項の「・・・、各薬剤の名称と外形のカラー写真の詳細な薬剤情報を記憶する記憶装置、・・・」という記載中、及び「・・・、前記被検索薬剤と一致する場合にその薬剤に関する薬剤の名称と外形のカラー写真の詳細な薬剤情報を作成して前記モニタに表示する・・・」という記載中の、「各薬剤の名称と外形のカラー写真の詳細な薬剤情報」という記載は、
　本願出願当初明細書段落【００２６】の「こうして薬剤が特定されたら、例えば図３に示すように、その薬剤の名称や画像がモニタ２２に表示される。更に、薬剤の部分をタッチすることによって、図４に示すように、その薬剤に関する効能や副作用等の詳細な薬剤情報がモニタに表示される。」という記載から、
　「各薬剤の名称と外形のカラー写真と詳細な薬剤情報」の誤記であることは明らかであるので、上記の如く認定する。
　
　また、特許請求の範囲第１項の「・・・、この入力情報を前記制御装置により前記憶装置に記憶させてある薬剤情報と順次、照合させる絞り込み検索を行い、・・・」という記載中の「前記憶装置」は、
　「前記記憶装置」の誤記であることは明らかであるので、上記の如く認定する。
 　 
 　　 
２．引用例の認定
 　　 
　原査定の拒絶の理由に引用された、特開平１１−５６９７２号公報（以下、「引用例」という。）には、次の事項が記載されている。 
　　 
（ア） 
「【０００１】
　　【発明の属する技術分野】
　本発明は、患者等に対して投薬情報を的確に伝えることにより投薬に関する安全性を向上しうる投薬データ管理装置に関する。」 
 　 
（イ） 
「【０００６】
　本発明は、このような実状に鑑み案出されたもので、患者等に対して投薬情報を的確に伝えることにより、投薬された医薬品の正しい知識を与え、誤った過量投与などの事故を防止するとともに、患者自身が他の医療機関においても現在服用中の医薬品情報を提示することを可能とすることにより、相互作用、配合禁忌の関係にある薬の投薬を未然に防止しうる投薬データ管理装置を提供することを目的としている。」 
 　 
（ウ） 
「【０００８】
　　【課題を解決するための手段】
　本発明のうち、請求項１記載の発明は、患者に投薬する薬を入力する入力手段と、この入力された薬を患者毎の投薬データとして記憶する投薬データ記憶部と、少なくとも薬の名称、用量・用法及び効能・効果を含む薬データを記憶する薬データ記憶部と、対象となる患者の前記投薬データ記憶部に記憶されている薬に対応した薬データを前記薬データ記憶部から選択して取り出す演算部と、この演算部により取り出された前記薬データを被印刷体に印刷する印刷手段とからなる投薬データ管理装置である。
【０００９】
　また請求項２記載の発明は、前記薬データは、薬の形状及び色の情報を含むことを特徴とする請求項１記載の投薬データ管理装置である。」 
 　 
（エ） 
「【００１４】
　　【発明の実施の形態】
　以下本発明の実施の一形態を図面に基づき説明する。
　図１には、本実施形態の投薬データ管理装置１のブロック図を示している。図において投薬データ管理装置１は、患者に投薬する薬を入力する入力手段２と、この入力された薬を患者毎の投薬データとして記憶する投薬データ記憶部３と、少なくとも薬の名称、用量・用法及び効能・効果を含む薬データを記憶する薬データ記憶部４と、対象となる患者の前記投薬データ記憶部４に記憶されている薬に対応した薬データを前記薬データ記憶部から選択して取り出す演算部５と、この演算部５により取り出された前記薬データを被印刷体６に印刷する印刷手段７とから構成されている。このような投薬データ管理装置１は、例えば医療機関の薬局などに設置されるものを例示している。
【００１５】
　前記入力手段２は、本実施形態ではキーボードとマウスからなり、これを用いて医師から送られてきた処方せんに基づいて、対象患者に投薬する薬を選択しつつ投薬データ記憶部３に入力することができる。また、中央制御装置（ＣＰＵ）からなる演算部５は、入出力ポートＩ／Ｏを介して入力手段２、印刷手段７と接続されており、処理手順記憶部１１に予め記憶されているプログラムに従って所定の処理を行うことができる。
【００１６】
　また本実施形態では、ＣＲＴ、液晶表示器等からなる表示手段９が設けられ、投薬データ、薬データなどの入力を逐次確認することができる。」 
　 
（オ） 
 「【００１７】
　前記投薬データ記憶部３、薬データ記憶部４は、例えば磁気ディスク等に記憶されている。前記投薬データ記憶部３は、例えばそのデータ構造を図２に概念的に示すように、患者毎の投薬データを記憶することができるもので、患者を識別するための固有の番号である患者識別ＩＤや、患者名、患者の保険者番号、年齢、性別、病名といったデータとともに、診察科に拘わらず現在投薬されている全ての薬品名１、２…が含まれるようになっている。
【００１８】
　また前記薬データ記憶部４は、例えばそのデータ構造を図３に概念的に示すように、本実施形態では薬品を識別するための固有の番号である薬品識別ＩＤや、薬品名（商品名）、学名（学術名）、欧文名、粉末、顆粒、錠剤又はカプセル等、薬の外観を識別しうる形状、薬の色の他、薬の用量・用法や、効能・効果、副作用、当該薬との配合禁忌関係にある禁忌薬、製薬会社名などの薬データが予め記憶されている。」 
　 
（カ） 
 「【００２０】
　このように構成された本実施形態の投薬データ管理装置１の処理手順の一例について図４に示すフローチャートに基づき説明する。先ず、本装置の操作者が、処方箋に基づき、入力手段２を用いて患者に投薬する薬を選択する処理を行う（ステップＳ１）。
【００２１】
　薬を選択する方法としては、例えばキーボードを用いて薬のデータを入力していけば良いが、本実施形態では例えば図５に示すように、表示手段９に薬品検索メニュー画面Ｗ１を表示させ、これにより容易に投薬する薬を入力しうるように構成している。
【００２２】
　この薬品検索メニュー画面Ｗ１から明らかなように、例えば、薬の商品名、学名、欧文名又は製薬会社名など複数の検索キーワードを入力手段２を用いて入力し、検索実行ボタンＢ１をマウス等を用いてクリックすると、前記演算部５が、薬データ記憶部４を検索し、入力された検索条件に合致する薬の名称を検索結果一覧として画面の左下の箇所Ｗ２に表示させることができる。
【００２３】
　また、本実施形態では検索キーとして、製薬会社のマーク（図形商標等）をも用いて検索薬品を絞り込むことができる。これは、図示していないが、製薬会社名とそのマークの対応表を予め記憶させた記憶部を有し、選択されたマークから製薬会社名を特定することにより絞り込みを可能とする。
【００２４】
　なお薬品検索メニュー画面Ｗ１の検索結果一覧に表示された薬を特定し、薬品情報表示ボタンＢ２を入力手段２のマウス等を用いてクリックすると、図６に示すような薬品情報画面Ｗ３として、当該薬品の詳細な情報を表示手段９に表示させることもでき、効能等を確認することもできる。」 
 　 　 　 
 　 
　以上の引用例の記載によれば、引用例には以下の事項が開示されていると認められる。 
 　 
（ａ）
　引用例の上記（オ）の「また前記薬データ記憶部４は、例えばそのデータ構造を図３に概念的に示すように、本実施形態では薬品を識別するための固有の番号である薬品識別ＩＤや、薬品名（商品名）、学名（学術名）、欧文名、粉末、顆粒、錠剤又はカプセル等、薬の外観を識別しうる形状、薬の色の他、薬の用量・用法や、効能・効果、副作用、当該薬との配合禁忌関係にある禁忌薬、製薬会社名などの薬データが予め記憶されている。」という記載（なお、明記されてはいないものの、複数種類の薬データが各々記憶されることは明らかである。）、
　引用例の上記（カ）の「薬を選択する方法としては、例えばキーボードを用いて薬のデータを入力していけば良いが、本実施形態では例えば図５に示すように、表示手段９に薬品検索メニュー画面Ｗ１を表示させ、これにより容易に投薬する薬を入力しうるように構成している。・・・（中略）・・・この薬品検索メニュー画面Ｗ１から明らかなように、例えば、薬の商品名、学名、欧文名又は製薬会社名など複数の検索キーワードを入力手段２を用いて入力し、検索実行ボタンＢ１をマウス等を用いてクリックすると、前記演算部５が、薬データ記憶部４を検索し、入力された検索条件に合致する薬の名称を検索結果一覧として画面の左下の箇所Ｗ２に表示させることができる。・・・（中略）・・・なお薬品検索メニュー画面Ｗ１の検索結果一覧に表示された薬を特定し、薬品情報表示ボタンＢ２を入力手段２のマウス等を用いてクリックすると、図６に示すような薬品情報画面Ｗ３として、当該薬品の詳細な情報を表示手段９に表示させることもでき、効能等を確認することもできる。」という記載、
　引用例の図５の「薬品検索メニュー」という薬品検索に関するメニューには、検索キーワードを入力できる薬品検索に関する項目として、図３に記載された（薬品を識別するための固有の番号である）「薬品識別ＩＤ」、（粉末、顆粒、錠剤又はカプセル等、薬の外観を識別しうる）「形状」、（薬の）「色」に対応する項目などが図示されていることから、 
　引用例には「各薬品を識別するための固有の番号である薬品識別ＩＤ、薬品名（商品名）、薬の外観を識別しうる形状、薬の色、薬の用量・用法、効能・効果、副作用などの薬データであって、薬品識別ＩＤ、薬の外観を識別しうる形状、薬の色などを薬品検索項目とすることができる薬データを記憶する薬データ記憶部」が開示されていると認められる。
　
（ｂ）
　引用例の上記（エ）の「図１には、本実施形態の投薬データ管理装置１のブロック図を示している。図において投薬データ管理装置１は、患者に投薬する薬を入力する入力手段２と、この入力された薬を患者毎の投薬データとして記憶する投薬データ記憶部３と、少なくとも薬の名称、用量・用法及び効能・効果を含む薬データを記憶する薬データ記憶部４と、対象となる患者の前記投薬データ記憶部４に記憶されている薬に対応した薬データを前記薬データ記憶部から選択して取り出す演算部５と、この演算部５により取り出された前記薬データを被印刷体６に印刷する印刷手段７とから構成されている。・・・（中略）・・・また、中央制御装置（ＣＰＵ）からなる演算部５は、入出力ポートＩ／Ｏを介して入力手段２、印刷手段７と接続されており、処理手順記憶部１１に予め記憶されているプログラムに従って所定の処理を行うことができる。・・・（中略）・・・また本実施形態では、ＣＲＴ、液晶表示器等からなる表示手段９が設けられ、投薬データ、薬データなどの入力を逐次確認することができる。」という記載、
　引用例の上記（カ）の「このように構成された本実施形態の投薬データ管理装置１の処理手順の一例について図４に示すフローチャートに基づき説明する。先ず、本装置の操作者が、処方箋に基づき、入力手段２を用いて患者に投薬する薬を選択する処理を行う（ステップＳ１）。・・・（中略）・・・この薬品検索メニュー画面Ｗ１から明らかなように、例えば、薬の商品名、学名、欧文名又は製薬会社名など複数の検索キーワードを入力手段２を用いて入力し、検索実行ボタンＢ１をマウス等を用いてクリックすると、前記演算部５が、薬データ記憶部４を検索し、入力された検索条件に合致する薬の名称を検索結果一覧として画面の左下の箇所Ｗ２に表示させることができる。・・・（中略）・・・なお薬品検索メニュー画面Ｗ１の検索結果一覧に表示された薬を特定し、薬品情報表示ボタンＢ２を入力手段２のマウス等を用いてクリックすると、図６に示すような薬品情報画面Ｗ３として、当該薬品の詳細な情報を表示手段９に表示させることもでき、効能等を確認することもできる。」という記載（当該記載から、中央「制御」装置（ＣＰＵ）からなる演算部が、薬データ記憶部、表示手段、入力手段を「制御」していることは明らかである。）から、
　引用例には、「薬データ記憶部、表示手段、入力手段、および前記薬データ記憶部、前記表示手段、前記入力手段を制御する演算部を備えることを特徴とする、薬を選択する処理を行う投薬データ管理装置」が開示されていると認められる。
　
（ｃ）
　上記（ａ）の「各薬品を識別するための固有の番号である薬品識別ＩＤ、薬品名（商品名）、薬の外観を識別しうる形状、薬の色、薬の用量・用法、効能・効果、副作用などの薬データであって、薬品識別ＩＤ、薬の外観を識別しうる形状、薬の色などを薬品検索項目とすることができる薬データを記憶する薬データ記憶部」という開示、
　上記（ｂ）の「薬データ記憶部、表示手段、入力手段、および前記薬データ記憶部、前記表示手段、前記入力手段を制御する演算部を備えることを特徴とする、薬を選択する処理を行う投薬データ管理装置」という開示、
　引用例の上記（カ）の「薬を選択する方法としては、例えばキーボードを用いて薬のデータを入力していけば良いが、本実施形態では例えば図５に示すように、表示手段９に薬品検索メニュー画面Ｗ１を表示させ、これにより容易に投薬する薬を入力しうるように構成している。・・・（中略）・・・この薬品検索メニュー画面Ｗ１から明らかなように、例えば、薬の商品名、学名、欧文名又は製薬会社名など複数の検索キーワードを入力手段２を用いて入力し、検索実行ボタンＢ１をマウス等を用いてクリックすると、前記演算部５が、薬データ記憶部４を検索し、入力された検索条件に合致する薬の名称を検索結果一覧として画面の左下の箇所Ｗ２に表示させることができる。」という記載、
　引用例の図５の「薬品検索メニュー」という薬品検索に関するメニューには、検索キーワードを入力できる薬品検索に関する項目として、図３に記載された（薬品を識別するための固有の番号である）「薬品識別ＩＤ」、（粉末、顆粒、錠剤又はカプセル等、薬の外観を識別しうる）「形状」、（薬の）「色」に対応する項目が図示されていることから、
　引用例には、「前記演算部により前記薬データ記憶部に記憶させた薬データの複数の薬品検索項目を表示手段に表示させる」ことが開示されている。
　
（ｄ）
　上記（ａ）の「各薬品を識別するための固有の番号である薬品識別ＩＤ、薬品名（商品名）、薬の外観を識別しうる形状、薬の色、薬の用量・用法、効能・効果、副作用などの薬データであって、薬品識別ＩＤ、薬の外観を識別しうる形状、薬の色などを薬品検索項目とすることができる薬データを記憶する薬データ記憶部」という開示、
　上記（ｂ）の「薬データ記憶部、表示手段、入力手段、および前記薬データ記憶部、前記表示手段、前記入力手段を制御する演算部を備えることを特徴とする、薬を選択する処理を行う投薬データ管理装置」という開示、
　上記（ｃ）の「前記演算部により前記薬データ記憶部に記憶させた薬データの複数の薬品検索項目を表示手段に表示させる」という開示、
　引用例の上記（エ）の「前記入力手段２は、本実施形態ではキーボードとマウスからなり、これを用いて医師から送られてきた処方せんに基づいて、対象患者に投薬する薬を選択しつつ投薬データ記憶部３に入力することができる。」という記載、
　引用例の上記（カ）の「このように構成された本実施形態の投薬データ管理装置１の処理手順の一例について図４に示すフローチャートに基づき説明する。先ず、本装置の操作者が、処方箋に基づき、入力手段２を用いて患者に投薬する薬を選択する処理を行う（ステップＳ１）。・・・（中略）・・・薬を選択する方法としては、例えばキーボードを用いて薬のデータを入力していけば良いが、本実施形態では例えば図５に示すように、表示手段９に薬品検索メニュー画面Ｗ１を表示させ、これにより容易に投薬する薬を入力しうるように構成している。・・・（中略）・・・この薬品検索メニュー画面Ｗ１から明らかなように、例えば、薬の商品名、学名、欧文名又は製薬会社名など複数の検索キーワードを入力手段２を用いて入力し、検索実行ボタンＢ１をマウス等を用いてクリックすると、前記演算部５が、薬データ記憶部４を検索し、入力された検索条件に合致する薬の名称を検索結果一覧として画面の左下の箇所Ｗ２に表示させることができる。」という記載、
　引用例の図５の「薬品検索メニュー」には、検索キーワードを入力するための、（文字列を直接入力することができる）「テキストボックス」（または、「エディットボックス」と呼ばれる。）、及び（当該「テキストボックス」と、選択可能な項目の一覧が表示され、その中からひとつを選択することができる「リストボックス」とを組み合わせた）「コンボボックス」が図示されていることから、
　引用例には、「前記入力手段で対象患者に投薬する薬に関して前記表示手段に表示された複数の前記薬データに関する薬品検索項目のうちで該当する薬品検索項目を順次選んで、該当する検索キーワードを選択又は直接入力することによって、その対象患者に投薬する薬に該当する薬データの検索キーワードを入力」することが開示されている。
　
（なお、引用例には、図６の商品名別情報ウィンドウで表示される「エースコール錠１ｍｇ」の薬品情報を得るために、図５中の「商品名」という検索項目に「錠」という文字を、「学名」という項目に「塩酸」という文字列を入力しており、医師から送られてくる処方箋に記載されることが多い薬の商品名そのものを直接入力しない例が開示されている。
　また、図５中の「商品名」という検索項目に「錠」という文字を入力する代わりに、図５中の「形状」という検索項目で「錠剤」に対応するデータを選択しても、類似した検索結果が得られることは明らかである。
　そのような事情（例：「商品名」という検索項目に「エースコール錠１ｍｇ」という長い文字列を入力する代わりに、「形状」という検索項目で「錠剤」に対応するデータを選択し、「学名」という項目に「塩酸」という文字列を入力することによって、入力の手間を省く事情）、及び 、「商品名」という検索項目に検索キーワードを入力することが「投薬データ管理装置」が検索を実行するための必須条件であることは、引用例には明記されてないこと、
　を鑑みれば、引用例の図５中の「商品名」という検索項目に検索キーワードを入力することは「投薬データ管理装置」が検索を実行するための必須条件である、と解釈しなければならない特段の事情はない。）
　
（ｅ）
　上記（ａ）の「各薬品を識別するための固有の番号である薬品識別ＩＤ、薬品名（商品名）、薬の外観を識別しうる形状、薬の色、薬の用量・用法、効能・効果、副作用などの薬データであって、薬品識別ＩＤ、薬の外観を識別しうる形状、薬の色などを薬品検索項目とすることができる薬データを記憶する薬データ記憶部」という開示、
　上記（ｂ）の「薬データ記憶部、表示手段、入力手段、および前記薬データ記憶部、前記表示手段、前記入力手段を制御する演算部を備えることを特徴とする、薬を選択する処理を行う投薬データ管理装置」という開示、
　引用例の上記（カ）の「この薬品検索メニュー画面Ｗ１から明らかなように、例えば、薬の商品名、学名、欧文名又は製薬会社名など複数の検索キーワードを入力手段２を用いて入力し、検索実行ボタンＢ１をマウス等を用いてクリックすると、前記演算部５が、薬データ記憶部４を検索し、入力された検索条件に合致する薬の名称を検索結果一覧として画面の左下の箇所Ｗ２に表示させることができる。」という記載から、
　引用例には、「この検索キーワードを前記演算部により前記薬データ記憶部に記憶させてある薬データと照合させる検索を行う」ことが開示されていると認められる。
　
（ｆ）
　上記（ａ）の「各薬品を識別するための固有の番号である薬品識別ＩＤ、薬品名（商品名）、薬の外観を識別しうる形状、薬の色、薬の用量・用法、効能・効果、副作用などの薬データであって、薬品識別ＩＤ、薬の外観を識別しうる形状、薬の色などを薬品検索項目とすることができる薬データを記憶する薬データ記憶部」という開示、
　上記（ｂ）の「薬データ記憶部、表示手段、入力手段、および前記薬データ記憶部、前記表示手段、前記入力手段を制御する演算部を備えることを特徴とする、薬を選択する処理を行う投薬データ管理装置」という開示、
　上記（ｄ）の「前記入力手段で対象患者に投薬する薬に関して前記表示手段に表示された複数の前記薬データに関する薬品検索項目のうちで該当する薬品検索項目を順次選んで、該当する検索キーワードを選択又は直接入力することによって、その対象患者に投薬する薬に該当する薬データの検索キーワードを入力」するという開示、
　引用例の上記（カ）の「なお薬品検索メニュー画面Ｗ１の検索結果一覧に表示された薬を特定し、薬品情報表示ボタンＢ２を入力手段２のマウス等を用いてクリックすると、図６に示すような薬品情報画面Ｗ３として、当該薬品の詳細な情報を表示手段９に表示させることもでき、効能等を確認することもできる。」という記載、
　引用例の図６に図示された「商品名別薬品情報ウィンドウ」という薬品情報に関するウィンドウには、表示手段に表示させることができる薬品情報に関する項目として、図３に記載された「薬品名（商品名）」、（薬の）「用量・用法」、「効能・効果」、「副作用」等に対応する項目が図示されていることから、
　引用例には、「前記対象患者に投薬する薬と一致する場合にその対象患者に投薬する薬に関する薬品名（商品名）、薬の用量・用法、効能・効果、副作用などの薬品情報を作成して前記表示手段に表示する」ことが開示されていると認められる。
　
　 
　以上の引用例の記載によれば、引用例には下記の発明（以下、「引用例発明」という。）が開示されていると認められる。 
 　 
「各薬品を識別するための固有の番号である薬品識別ＩＤ、薬品名（商品名）、薬の外観を識別しうる形状、薬の色、薬の用量・用法、効能・効果、副作用などの薬データであって、薬品識別ＩＤ、薬の外観を識別しうる形状、薬の色などを薬品検索項目とすることができる薬データを記憶する薬データ記憶部、
　表示手段、
　入力手段、
　および前記薬データ記憶部、前記表示手段、前記入力手段を制御する演算部を備え、
　前記演算部により前記薬データ記憶部に記憶させた薬データの複数の薬品検索項目を表示手段に表示させるとともに、
　前記入力手段で対象患者に投薬する薬に関して前記表示手段に表示された複数の前記薬データに関する薬品検索項目のうちで該当する薬品検索項目を順次選んで、該当する検索キーワードを選択又は直接入力することによって、その対象患者に投薬する薬に該当する薬データの検索キーワードを入力し、
　この検索キーワードを前記演算部により前記薬データ記憶部に記憶させてある薬データと照合させる検索を行い、
　前記対象患者に投薬する薬と一致する場合にその対象患者に投薬する薬に関する薬品名（商品名）、薬の用量・用法、効能・効果、副作用などの薬品情報を作成して前記表示手段に表示する、
　ことを特徴とする、薬を選択する処理を行う投薬データ管理装置。」 
　
　
　
３．対比 
　
　本願発明と引用例発明とを対比する。 
 　 
（１）
　引用例発明の
「薬の外観を識別しうる形状」、
「薬の色」、
「薬品を識別するための固有の番号である薬品識別ＩＤ」、
「薬品検索項目」、
「薬品名（商品名）」、
「薬の用量・用法、効能・効果、副作用など」、
「薬データ記憶部」、
「表示手段」、
「入力手段」、
「演算部」、
「薬データ」、
「対象患者に投薬する薬」、
「薬データの検索キーワードを入力」すること、
「検索キーワード」、
「薬を選択する処理を行う投薬データ管理装置」は、
　
　それぞれ、
　
　本願発明の
「薬剤に関する剤形」、
（薬剤に関する）「色」、
（薬剤に関する）「識別コード」、
「検索項目」、
「薬剤の名称」、
「詳細な薬剤情報」、
「記憶装置」、
「モニタ」、
「入力装置」、
「制御装置」、
「薬剤情報」、
「被検索薬剤」、
「薬剤情報の内容を入力」すること、
「入力情報」、
「薬剤検索システム」に、
　
　相当する。
　
　
（２）
　引用例発明の「各薬品を識別するための固有の番号である薬品識別ＩＤ、薬品名（商品名）、薬の外観を識別しうる形状、薬の色、薬の用量・用法、効能・効果、副作用などの薬データであって、薬品識別ＩＤ、薬の外観を識別しうる形状、薬の色などを薬品検索項目とすることができる薬データを記憶する薬データ記憶部」と、
　
　本願発明の「各薬剤に関する剤形、色、識別コード等の検索項目毎の検索情報と、各薬剤の名称と外形のカラー写真と詳細な薬剤情報を記憶する記憶装置」とは、
　
　「各薬剤に関する剤形、色、識別コード等の検索項目毎の検索情報と、各薬剤の名称と詳細な薬剤情報を記憶する記憶装置」である点で一致し、
　
　本願発明では、「記憶装置」が各薬剤の「外形のカラー写真」を記憶しているのに対し、引用例発明では、「記憶装置」が各薬剤の「外形のカラー写真」を記憶していない点、
　で相違する。
　
　なお、審判請求人は、審判請求書の「ｉ）記憶装置（記憶部）の違い」において、「特に、両者は薬に関する情報（データ）を記憶している点で共通しますが、本願発明は、検索情報と薬剤情報とを明確に分けて記憶してあるのに対して、引用発明では薬データとして一括して記憶してあり、この点において両者は顕著な違いがある。」と主張しているので、この点を検討すると、
　本願発明の「各薬剤に関する剤形、色、識別コード等の検索項目毎の検索情報と、各薬剤の名称と外形のカラー写真と詳細な薬剤情報を記憶する記憶装置」という記載はあるが、この文言からは、当業者は、「各薬剤に関する剤形、色、識別コード『等』」という検索可能な薬剤情報の他に、各薬剤の名称と外形のカラー写真と詳細な薬剤情報が記憶装置に記憶されている程度の開示がなされていると解するに留まり、「検索情報と薬剤情報とを明確に分けて記憶してある」と限定して解することはできない。
　また、本出願当初明細書又は図面には、「記憶装置では、複数の検索項目毎の内容に該当する薬剤名とそのカラー画像、および各薬剤の効能や副作用、禁忌等の詳細な薬剤情報がデータベースとして記憶されていて、それらは、いずれもコンピュータで読み取り可能なデータ形式を呈している。また、データベース内のデータは、本部機関によって、随時追加や修正を行うことができる。」（段落【００１７】）と記載されているが、「検索情報と薬剤情報とを明確に分けて記憶してある」ことは記載されていない。
　しかも、本出願当初明細書又は図面には、「検索項目としては、商品名、識別コードなど、通常一回の検索で薬剤が特定される項目の他、製薬会社名、対象疾患名、成分、薬価、薬効分類、或いは、薬剤に関する専門知識を持たない一般人の患者でも容易に検索できるように、薬剤の外見から判別される色や剤形、包装形態、更には漢方薬等においては匂いなども設定することができる。」（段落【００２１】）と記載されているように、本願発明の「薬剤の名称」（本願明細書の「商品名」に対応）などの薬品情報は検索項目でもあることから、「検索情報と薬剤情報とを明確に分けて」いない。
　
（３）
　引用例発明の「表示手段、入力手段、および前記薬データ記憶部、前記表示手段、前記入力手段を制御する演算部を備え」ることは、
　
　本願発明の「モニタ，入力装置および前記各装置を制御する制御装置を備え」ることに相当する。
　
　
（４）
　引用例発明の「前記演算部により前記薬データ記憶部に記憶させた薬データの複数の薬品検索項目を表示手段に表示させる」ことは、
　
　本願発明の「前記制御装置により前記記憶装置に記憶させた薬剤情報の複数の検索項目をモニタに表示させる」ことに相当する。
　
　
（５）
　引用例発明の「前記入力手段で対象患者に投薬する薬に関して前記表示手段に表示された複数の前記薬データに関する薬品検索項目のうちで該当する薬品検索項目を順次選んで、該当する検索キーワードを選択又は直接入力することによって、その対象患者に投薬する薬に該当する薬データの検索キーワードを入力」することと、
　
　本願発明の「前記入力装置で被検索薬剤に関して前記モニタに表示された複数の前記薬剤情報に関する検索項目のうちで該当する検索項目を順次選んで該当する内容を選択しその被検索薬剤に該当する薬剤情報の内容を入力」することとは、
　
　「前記入力装置で被検索薬剤に関して前記モニタに表示された複数の前記薬剤情報に関する検索項目のうちで該当する検索項目を順次選んで、その被検索薬剤に該当する薬剤情報の内容を入力」する点で一致し、
　
　本願発明では、「該当する内容を選択」することによって薬剤情報の内容を入力するのに対し、引用例発明では、「該当する検索キーワードを選択又は直接入力する」ことによって薬剤情報の内容を入力する点、
　で相違する。
　
　
（６）
　引用例発明の「この検索キーワードを前記演算部により前記薬データ記憶部に記憶させてある薬データと照合させる検索を行」うことと、
　
　本願発明の「この入力情報を前記制御装置により前記記憶装置に記憶させてある薬剤情報と順次、照合させる絞り込み検索を行」うこととは、
　
　「この入力情報を前記制御装置により前記記憶装置に記憶させてある薬剤情報と、照合させる検索を行」う点で一致し、
　
　本願発明では、薬剤情報と「順次」照合させる「絞り込み」検索を行うのに対し、引用例発明では、薬剤情報と照合させる検索を行う点、
　で相違する。
　
　
（７）
　引用例発明の「前記対象患者に投薬する薬と一致する場合にその対象患者に投薬する薬に関する薬品名（商品名）、薬の用量・用法、効能・効果、副作用などの薬品情報を作成して前記表示手段に表示する」ことと、
　
　本願発明の「前記被検索薬剤と一致する場合にその薬剤に関する薬剤の名称と外形のカラー写真と詳細な薬剤情報を作成して前記モニタに表示する」こととは、
　
　「前記被検索薬剤と一致する場合にその薬剤に関する薬剤の名称と詳細な薬剤情報を作成して前記モニタに表示する」点で一致し、
　
　本願発明では、モニタに「外形のカラー写真」を表示するのに対し、引用例発明では、モニタに「外形のカラー写真」を表示しない点、
　で相違する。
　
　
 （８）
 　したがって、両者は、 
 「各薬剤に関する剤形、色、識別コード等の検索項目毎の検索情報と、各薬剤の名称と詳細な薬剤情報を記憶する記憶装置、
　モニタ，
　入力装置および
　前記各装置を制御する制御装置を備え、
　前記制御装置により前記記憶装置に記憶させた薬剤情報の複数の検索項目をモニタに表示させるとともに、
　前記入力装置で被検索薬剤に関して前記モニタに表示された複数の前記薬剤情報に関する検索項目のうちで該当する検索項目を順次選んで、その被検索薬剤に該当する薬剤情報の内容を入力し、
　この入力情報を前記制御装置により前記記憶装置に記憶させてある薬剤情報と、照合させる検索を行い、
　前記被検索薬剤と一致する場合にその薬剤に関する薬剤の名称と詳細な薬剤情報を作成して前記モニタに表示する
　ことを特徴とする薬剤検索システム。」 
 　 
 の点で一致し、 
 　 
（相違点１） 
　 
　本願発明では、「記憶装置」が各薬剤の「外形のカラー写真」を記憶しているのに対し、引用例発明では、「記憶装置」が各薬剤の「外形のカラー写真」を記憶していない点、
　
　そのため、
　
　本願発明では、モニタに「外形のカラー写真」を表示するのに対し、引用例発明では、モニタに「外形のカラー写真」を表示しない点、
　
　
（相違点２） 
　
　本願発明では、「該当する内容を選択」することによって薬剤情報の内容を入力するのに対し、引用例発明では、「該当する検索キーワードを選択又は直接入力する」ことによって薬剤情報の内容を入力する点、
　
　
（相違点３）
　
　本願発明では、薬剤情報と「順次」照合させる「絞り込み」検索を行うのに対し、引用例発明では、薬剤情報と照合させる検索を行う点、
　
　
 で相違する。 
 　
 　
　
 ４．相違点の判断 
 　 
（１）相違点１について 
　
　例えば、
・薬剤検索という点で本願発明と技術分野が共通する、患者への薬剤情報提供に役立つＣＤ−ＲＯＭ，医療とコンピュータ，株式会社日本電子出版，Ｖｏｌ．８，Ｎｏ．６，ｐ．４０−ｐ．４９（１９９７．１２．２０）には、識別コード、色・剤形等を検索キーとし、用量・用法、効能・効果、副作用等だけでなく、薬剤の画像も検索結果表示内容とすることができる「薬剤情報検索システムＭＲ」（第４６頁右欄第１行から第４７頁左欄第１２行を参照）が開示されていること、
・薬剤検索という点で本願発明と技術分野が共通する、医薬品統括情報システム『薬師』，医療とコンピュータ，株式会社日本電子出版，Ｖｏｌ．８，Ｎｏ．６，ｐ．５２−ｐ．５６（１９９７．１２．２０）には、検索結果として「写真４点（本体／ヒートの表裏）」を表示することができる「薬師」（特に、第５４頁の図を参照）が開示されていること、
・薬剤検索という点で本願発明と技術分野が共通する、医者からもらった薬がわかる本，医療とコンピュータ，株式会社日本電子出版，Ｖｏｌ．８，Ｎｏ．６，ｐ．６３−ｐ．６５（１９９７．１２．２０）には、調べた薬品が本当に合っているのかどうか確証を得るために写真を表示する機能があることが開示されていること（特に、第６５頁左欄第３乃至１２行を参照）、
　等の事例から把握できるように、モニタに薬の外形の画像又は写真を表示することは、情報処理分野における周知技術である。
　
　また、（薬の外形などの）画像又は写真を検索結果として表示するためには、検索対象となる情報が格納された記憶装置に、当該画像又は写真を対応付けて記憶しておく必要があることも、情報処理分野における周知技術である。
　
　しかも、画像又は写真をカラーで表現することも、情報処理分野における周知技術である。
　
　したがって、薬剤の検索結果を好適に表示するために、引用例発明に対して、当該周知技術を適用することによって、
　「記憶装置」に対して各薬剤の「外形のカラー写真」も各薬剤に対応付けて記憶することによって、モニタに「外形のカラー写真」も検索結果として表示するように構成することは、当業者が容易に想到し得ることである。
　
　
（２）相違点２について 
　 
　本願発明の、「該当する内容を選択」することによって薬剤情報の内容を入力することに関して、本願出願当初明細書段落【００３１】では、
「尚、入力装置は、上記に述べたタッチパネル方式とすれば、銀行のＡＴＭ等で一般の人が慣れているため、誰でも極めて容易に操作することができるが、専用のペンを用いてペン先で接触して入力するペン入力方式としても、容易に操作可能である。」
　と説明されている。
　そして、当該説明にある銀行ＡＴＭ等で採用されているような、入力したい内容を直接入力するのではなく選択入力するユーザー・インターフェイスは、本出願前の周知技術である。
　
　また、薬剤検索という点で本願発明と技術分野が共通する、引用例発明では、（検索項目（薬品検索項目）の全てに対してではないものの、「コンボボックス」を用いて）検索キーワードを選択入力することが可能となっている。
　
　しかも、誰でも極めて容易に操作することができるように、ユーザー・インターフェイスを改良するという課題は、（薬剤検索システムを含む）情報処理システムを構築する上で当然に考慮すべき、情報処理分野における周知の課題である。
　
　したがって、誰でも極めて容易に操作することができるように、引用例発明に対して、上記周知技術を適用することによって、
　（「テキストボックス」を用いて）検索キーワードを直接入力する方法が採用されている検索項目（薬品検索項目）に対しても、「該当する内容を選択」することによって薬剤情報の内容を入力することができるようなユーザー・インターフェイスを採用することは、当業者が容易に想到し得ることである。
　
　
（３）相違点３について 
　
　引用例の図５に図示された「薬品検索メニュー」は、
　薬品識別ＩＤ、各薬の外観を識別しうる形状、薬の色などの薬品検索項目を備える他、
　「検索実行ボタンＢ１」、「検索結果一覧Ｗ２」、「薬品情報表示ボタンＢ２」、「全検索条件消去ボタン」（このボタンの存在により、「検索実行ボタンＢ１」をクリックすることによって検索結果を得ても、薬品検索項目に入力された検索条件は消去されないことを示唆している。）、「検索終了ボタン」などを備える、
　というユーザー・インターフェイスが採用されていることから、
  薬品検索項目に１又は複数の検索キーワードを入力して「検索実行ボタンＢ１」をクリックすることによって検索結果を得た後に、
　薬品検索項目に１又は複数の検索キーワードを追加入力して再度「検索実行ボタンＢ１」をクリックすることによって検索結果を得るという処理を繰り返す（すなわち、絞り込み検索を行う）ことが可能であることを、引用例は示唆（又は暗示）しているものの、
　引用例には、実際にそのような絞り込み検索が行えることは明記されていない。
　
　一方、たとえば、
　特開２０００−２９８８８号公報（特に、段落【００２３】乃至【００２８】、【００３４】、【図７】乃至【図１３】を参照）には、付近目標物であると確認された”駅”、”消防署”、”図書館”を「順々に入力」することにより、一覧内容数が徐々に少なくなり、最終的に指定目標物を選択することを容易にする「絞り込み検索処理」（なお、【図１２】の例では「コンビニＢ」の「１つ」にまで絞られている。）が開示されていること、
　特開２０００−９９０４８号公報（特に、段落【００２４】乃至【００２５】）には、ジャンルなどの属性によりさらに対象を絞り込むための絞り込む検索機能が開示されていること、
　等の事例から把握できるように、情報と「順次」照合させることによって「絞り込み」検索を行うことは、情報検索システムが利用される様々な分野で採用されるような、情報処理分野における周知技術である。
　
　しかも、薬剤検索という点で本願発明と技術分野が共通する、医薬品統括情報システム『薬師』，医療とコンピュータ，株式会社日本電子出版，Ｖｏｌ．８，Ｎｏ．６，ｐ．５２−ｐ．５６（１９９７．１２．２０）に、「このことによりより速く医薬品を特定することができ、結果からの逆検索や絞込み検索なども可能になりました。」（第５３頁左欄第２乃至５行）と記載されているように、薬剤検索においても、絞り込み検索を行うことは周知技術である。
　
　したがって、薬剤検索を迅速に行えるように、引用例発明に対して、当該周知技術を適用することによって、
　薬剤情報と「順次」照合させる「絞り込み」検索を採用することは、当業者が容易に想到し得ることである。
　
　
　
５．付記
　
（１）
　審判請求人は、審判請求書において、
「ａ）発明の目的について
　本願発明は、投薬を受けた患者が投薬された薬剤についての情報を患者自身が検索して得ることを目的とするものであるのに対して、引用発明は、医師や薬剤師による患者への正確な薬剤情報を提供することを目的とするものであり、両者は薬剤情報に関する点で一致するが、目的が全く異なる。」
　と主張している。
　
　しかしながら、
・「１．本願発明の認定」で認定された事項から明らかなとおり、本願発明において、投薬された薬剤についての情報を患者自身が検索することは規定されていないこと（すなわち、薬剤についての情報を医師や薬剤師が検索することを排除していないこと）、
・審判請求人は、審判請求書の「ａ）発明の目的について」において、「確かに、本願発明は医師や薬剤師が使用する場合もあり、・・・」と自認していること、
　から審判請求人の当該主張は、特許請求の範囲の記載に基づかないものというほかない。
　
（２）
　仮に、投薬された薬剤についての情報を患者自身が検索するものであることが特許請求の範囲に明記され、本願発明が、投薬された薬剤についての情報を患者自身が検索するものに限定されたとしても、以下の理由により、本願発明は、依然として進歩性を有しない。
　
（理由）
　
　薬剤検索という点で本願発明と技術分野が共通する、医者からもらった薬がわかる本，医療とコンピュータ，株式会社日本電子出版，Ｖｏｌ．８，Ｎｏ．６，ｐ．６３−ｐ．６５（１９９７．１２．２０）の、
・「『ＣＤＲＯＭ版　医者からもらった薬がわかる本』は株式会社法研が毎年発行している、同名の書籍をデジタルコンテンツ化したものです。」（第６３頁左欄第１乃至４行）
・「この本は題名のとおり、患者さんが医師から薬を貰った際に、その効能や副作用、名称などを調べることができるものです。」（第６３頁中欄第１乃至５行）
・「大きな特徴は薬剤の検索方式です。患者さんに使用しやすいように薬剤上に記載されている数字のみに着目して検索する方式を採用しています。これは、薬剤本体、あるいはパッケージ上に記載されている記号番号のうち、番号部分のみでインデックスをつける方式で、同一番号の薬剤があった場合には英文字で、さらに同じ場合には製薬会社のマークの形で判別します。」（第６３頁中欄第６行から同頁右欄第９行）
・「また、データベースの検索の部分はにはＪＡＶＡ言語を使用しています。原書に無く、ＣＤＲＯＭ版にのみ存在する機能は、写真があります。今回は全ての薬品を網羅することはできなかったのですが、調べた薬品が本当に合っているのかどうか、確証を得るのに写真があると便利です。」（第６５頁左欄第３乃至１２行。なお、「また、データベースの検索の部分はには・・・」という記載は「また、データベースの検索の部分には・・・」の誤記であると認められる。）
　という記載から、（医師や薬剤師ではない）患者が薬剤情報を検索し、その効能や副作用、名称などの他、写真を検索結果として得る、という技術構成が開示されていることが把握できる。
　
　また、（情報処理装置による検索ではないものの）薬剤検索という点で本願発明と技術分野が共通する、ＷｏｒｌｄＷｉｄｅＷｅｂコンテンツ・ガイド，Ｉ／Ｏ，株式会社工学社，Ｖｏｌ．２２，Ｎｏ．１２，ｐ．１２０−ｐ．１２５（１９９７．１２．０１）の、
「石川県金沢市にある中森全快堂の管理薬剤師　中森慶滋さんのホームページより、『あなたが病院からもらった薬を，無料で薬剤師が責任をもって調べて薬効を知らせてくれるページ』です．
　『診断名』『識別コード（薬物本体や包装材料に書かれている数字やアルファベット）』『製薬会社ロゴマーク記号（参照用の図あり）』『剤形（錠剤，カプセル，顆粒，軟膏，クリーム，目薬，坐剤，など）』『色』などを入力すれば，薬効をメールで教えてくれます．」（特に、第１２２頁左欄第４乃至１８行の「薬の情報があるその他のサイト」の欄を参照）
　という記載から、「あなたが病院からもらった薬」（すなわち、患者が病院からもらった薬）を調べるために、患者側が、「剤形」、「色」、「識別コード」などを情報入力する、という技術的思想が開示されていることが把握できる。
　
　つまり、（医師や薬剤師ではない）患者が薬剤情報を検索し、その効能や副作用、名称などの他、写真を検索結果として得る際、検索するための情報として、剤形、色、識別コードなどを採用しても良いことが把握できる。
　
　そうすると、引用例発明の「投薬データ管理装置」を、
　患者が剤形、色、識別コードなどを検索キーワードとして入力することにより、薬剤情報を検索し、その効能や副作用、名称などの他、写真を検索結果として得るための装置、
　として利用可能に構成する（又は、医師や薬剤師向けだけでなく、患者向けにまで、用途を拡大する）ことは、当業者が容易に想到し得ることである。
　
　
　
６．むすび  
　
　したがって、本願発明は、引用例発明及び周知技術に基づいて、当業者が容易に発明をすることができたものであり、特許法２９条２項の規定により特許を受けることができないから、他の請求項について検討するまでもなく、本願は拒絶されるべきものである。  
　
 よって、結論のとおり審決する。